【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段の判定結果に基づいて特典を付与しうる特典付与手段と、
遊技者の操作対象とされる操作手段と、
前記操作手段に対する操作の受付けが許容される受付状態が発生する場合、前記操作手段を摸した摸画像表示を表示可能であり、該摸画像表示が表示されているなかで遊技者による操作が受付けされると、該受付けされたことに基づいて前記摸画像表示を非表示の状態にする摸画像表示実行手段と
を備え、
前記摸画像表示が表示されているなかで遊技者による操作が受付けされてから前記摸画像表示が非表示の状態にされるまでの間には、前記摸画像表示が視認し難くなる態様が現れるようになっており、
前記受付状態として、第１受付状態と第２受付状態とが用意されており、
前記第１受付状態において前記摸画像表示が表示されているなかで遊技者による操作が受付けされた場合と、前記第２受付状態において前記摸画像表示が表示されているなかで遊技者による操作が受付けされた場合とのいずれにおいても、前記摸画像表示が非表示の状態にされるまでの間に前記摸画像表示が視認し難くなる態様が現れるようになっており、
前記第１受付状態で遊技者による操作が受付けされると、前記特典の付与される期待度が低い第１低期待態様と、前記特典の付与される期待度が前記第１低期待態様よりも高い第１高期待態様とを含む複数態様のいずれかで当該第１受付状態に対応する第１受付後演出が実行可能とされ、
前記第２受付状態で遊技者による操作が受付けされると、前記特典の付与される期待度が低い第２低期待態様と、前記特典の付与される期待度が前記第２低期待態様よりも高い第２高期待態様とを含む複数態様のいずれかで当該第２受付状態に対応する第２受付後演出が実行可能とされ、
前記第１受付状態では、遊技者による操作が仮に受付けされたとしたら前記第１受付後演出が前記第１低期待態様で実行される条件下にあるときに遊技者による操作が受付けされなかった場合と、遊技者による操作が仮に受付けされたとしたら前記第１受付後演出が前記第１高期待態様で実行される条件下にあるときに遊技者による操作が受付けされなかった場合とのいずれの場合であっても、前記摸画像表示が非表示の状態にされるまでの間に前記摸画像表示が視認し難くなる態様として、遊技者による操作が受付けされた場合と同じ態様が現れるが、
前記第２受付状態では、遊技者による操作が仮に受付けされたとしたら前記第２受付後演出が前記第２低期待態様で実行される条件下にあるときに遊技者による操作が受付けされなかった場合と、遊技者による操作が仮に受付けされたとしたら前記第２受付後演出が前記第２高期待態様で実行される条件下にあるときに遊技者による操作が受付けされなかった場合とのいずれの場合であっても、前記摸画像表示が視認し難くなる態様として遊技者による操作が受付けされた場合と同じ態様が現れずに前記摸画像表示が非表示の状態にされうるようになっており、
さらに、
前記受付状態において前記摸画像表示の周期的変化が所定時間単位で現れるように表示されている場合は、該摸画像表示に対応する操作については複数回の受付けが許容されている状態にあるが、前記受付状態において前記摸画像表示の周期的変化が所定時間よりも長い時間単位で現れるように表示されている場合は、該摸画像表示に対応する操作については複数回の受付けが許容されている状態にある場合と、１回の受付けだけが許容されている状態にある場合との両方があるようになっており、
さらに、
前記受付状態として、第３受付状態がさらに用意されており、
前記第３受付状態は、特定ＢＧＭが可聴出力されているなかで発生する場合と、特定ＢＧＭが非可聴状態にされてから発生する場合との両方がある
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下が懸念される。
【手続補正３】
【補正対象書類名】明細書
【補正対象項目名】０００７
【補正方法】変更
【補正の内容】
【０００７】
手段１：判定を行う判定手段と、
前記判定手段の判定結果に基づいて特典を付与しうる特典付与手段と、
遊技者の操作対象とされる操作手段と、
前記操作手段に対する操作の受付けが許容される受付状態が発生する場合、前記操作手段を摸した摸画像表示を表示可能であり、該摸画像表示が表示されているなかで遊技者による操作が受付けされると、該受付けされたことに基づいて前記摸画像表示を非表示の状態にする摸画像表示実行手段と
を備え、
前記摸画像表示が表示されているなかで遊技者による操作が受付けされてから前記摸画像表示が非表示の状態にされるまでの間には、前記摸画像表示が視認し難くなる態様が現れるようになっており、
前記受付状態として、第１受付状態と第２受付状態とが用意されており、
前記第１受付状態において前記摸画像表示が表示されているなかで遊技者による操作が受付けされた場合と、前記第２受付状態において前記摸画像表示が表示されているなかで遊技者による操作が受付けされた場合とのいずれにおいても、前記摸画像表示が非表示の状態にされるまでの間に前記摸画像表示が視認し難くなる態様が現れるようになっており、
前記第１受付状態で遊技者による操作が受付けされると、前記特典の付与される期待度が低い第１低期待態様と、前記特典の付与される期待度が前記第１低期待態様よりも高い第１高期待態様とを含む複数態様のいずれかで当該第１受付状態に対応する第１受付後演出が実行可能とされ、
前記第２受付状態で遊技者による操作が受付けされると、前記特典の付与される期待度が低い第２低期待態様と、前記特典の付与される期待度が前記第２低期待態様よりも高い第２高期待態様とを含む複数態様のいずれかで当該第２受付状態に対応する第２受付後演出が実行可能とされ、
前記第１受付状態では、遊技者による操作が仮に受付けされたとしたら前記第１受付後演出が前記第１低期待態様で実行される条件下にあるときに遊技者による操作が受付けされなかった場合と、遊技者による操作が仮に受付けされたとしたら前記第１受付後演出が前記第１高期待態様で実行される条件下にあるときに遊技者による操作が受付けされなかった場合とのいずれの場合であっても、前記摸画像表示が非表示の状態にされるまでの間に前記摸画像表示が視認し難くなる態様として、遊技者による操作が受付けされた場合と同じ態様が現れるが、
前記第２受付状態では、遊技者による操作が仮に受付けされたとしたら前記第２受付後演出が前記第２低期待態様で実行される条件下にあるときに遊技者による操作が受付けされなかった場合と、遊技者による操作が仮に受付けされたとしたら前記第２受付後演出が前記第２高期待態様で実行される条件下にあるときに遊技者による操作が受付けされなかった場合とのいずれの場合であっても、前記摸画像表示が視認し難くなる態様として遊技者による操作が受付けされた場合と同じ態様が現れずに前記摸画像表示が非表示の状態にされうるようになっており、
さらに、
前記受付状態において前記摸画像表示の周期的変化が所定時間単位で現れるように表示されている場合は、該摸画像表示に対応する操作については複数回の受付けが許容されている状態にあるが、前記受付状態において前記摸画像表示の周期的変化が所定時間よりも長い時間単位で現れるように表示されている場合は、該摸画像表示に対応する操作については複数回の受付けが許容されている状態にある場合と、１回の受付けだけが許容されている状態にある場合との両方があるようになっており、
さらに、
前記受付状態として、第３受付状態がさらに用意されており、
前記第３受付状態は、特定ＢＧＭが可聴出力されているなかで発生する場合と、特定ＢＧＭが非可聴状態にされてから発生する場合との両方がある
ことを特徴とする遊技機。
【手続補正４】
【補正対象書類名】明細書
【補正対象項目名】０００８
【補正方法】削除
【補正の内容】